(57)【特許請求の範囲】
【請求項１】
外周面にリールを装着可能であり前記リールからの釣糸が通過可能な釣糸通路を内部に有する中通し竿であって、
穂先側外周面に形成され、前記釣糸を前記釣糸通路に導入可能な釣糸導入口と、前記釣糸導入口の穂先側から竿元側に跨ぐとともになだらかに隆起するように形成された釣糸導入ガイドの竿元側に設けられ、前記リールからの前記釣糸が挿通する釣糸案内リングとを有する第１竿体と、
前記第１竿体の穂先側に振出形式で連結され、前記第１竿体から穂先側に引き出された状態で竿元側端面が前記釣糸導入口の穂先側に位置する第２竿体と、
前記第２竿体の竿元側端部に配置された尻栓とを備え、
前記尻栓は、筒状の本体部と、前記本体部にはめ込まれ、軸方向に貫通するとともに、中心から前記釣糸導入口の前記釣糸案内リング側に向けて径が徐々に大きくなるように断面扇形に広がった貫通孔が形成された釣糸案内部材とを有する中通し竿。
【請求項２】
前記尻栓は、前記本体部の竿元側に連結され前記貫通孔に連通するように軸方向に形成された連通路と、前記釣糸導入口を向く側の側面に、前記釣糸導入口から前記連通路に前記釣糸を挿通可能に形成された開口とを有する筒状部をさらに有している、請求項１に記載の中通し竿。
【請求項３】
前記釣糸通路に釣糸を挿通させる釣糸挿通操作時において、前記第２竿体は、前記開口が前記第１竿体の釣糸導入口付近に位置するように前記第１竿体の穂先側に連結される、請求項２に記載の中通し竿。
【請求項４】
前記第２竿体の穂先側に振出形式で連結される少なくとも１以上の竿体からなる竿体ユニットをさらに備え、
前記尻栓は前記竿体ユニットの最も穂先側に連結される竿体を収納可能な収納部をさらに有する、請求項１〜３のいずれかに記載の中通し竿。
【発明の詳細な説明】
【０００１】
【発明の属する技術分野】
本発明は釣竿、特に、リールからの釣糸を内部に挿通可能な釣糸通路を有する中通し竿に関する。
【０００２】
【従来の技術】
従来の中通し竿は、内部に釣糸を挿通可能な釣糸通路を有する竿体と、竿体に脱着自在に固定されたリールと、前記リールの穂先側の竿体外周面に形成された釣糸導入口と、竿体の穂先側端部に形成されたトップガイドとを有している。このような中通し竿では、リールからの釣糸を釣糸導入口より釣糸通路に導入し、穂先側のトップガイドより外部に釣糸を導出する。
【０００３】
一般的に、このような中通し竿において釣糸を釣糸通路に挿通させるためには、例えば、金属ワイヤ製の糸通し具が用いられる。糸通し具の終端に釣糸を係止して、糸通し具の先端を釣糸導入口より釣糸通路に導入する。そして、トップガイドから糸通し具を引き抜いて釣糸を釣糸通路に挿通させる。
具体的には、複数の竿体が振出形式に連結された中通し竿において糸通し具を用いて釣糸を釣糸通路に挿通する場合（以下、「釣糸挿通操作」という）、図５に示すように、穂先竿５，第２中竿４を順次第１中竿３に収納し、釣糸導入口９が形成された元上竿２の穂先側に第１中竿３のみ引き延ばした状態で釣糸挿通操作を行う。ここで、穂先竿５の竿元側端部は第１中竿３の竿元側に配置された尻栓５０の収納部５１に収納される。そして、釣糸導入口９からのぞき込みながら、糸通し具２００の先端を尻栓５０の貫通孔を通して穂先竿５内に挿入する。
【０００４】
【発明が解決しようとする課題】
しかし、小さな釣糸導入口９から竿体内をのぞき込み、糸通し具２００を穂先竿５の釣糸通路に挿入するのは、初心者にとって困難な場合がある。特に、尻栓５０にはセラミックリング５２がはめ込まれているが、糸通し具２００を穂先竿５内に円滑に挿入させるためには、このセラミックリング５２の内径は穂先竿５の内径に合わせる必要があり小径に形成せざるを得ない。このように小径のセラミックリング５２に直接糸通し具２００を挿入するのは一定の技術を必要とする。
【０００５】
本発明の課題は、容易に釣糸挿入操作が行える中通し竿を提供することにある。
【０００６】
【課題を解決するための手段】
発明１にかかる中通し竿は、外周面にリールを装着可能でありリールからの釣糸が通過可能な釣糸通路を内部に有する中通し竿であって、穂先側外周面に形成され、釣糸を釣糸通路に導入可能な釣糸導入口と、釣糸導入口の穂先側から竿元側に跨ぐとともになだらかに隆起するように形成された釣糸導入ガイドの竿元側に設けられ、リールからの釣糸が挿通する釣糸案内リングとを有する第１竿体と、第１竿体の穂先側に振出形式で連結され、第１竿体から穂先側に引き出された状態で竿元側端面が釣糸導入口の穂先側に位置する第２竿体と、第２竿体の竿元側端部に配置された尻栓とを備えている。そして、尻栓は、筒状の本体部と、本体部にはめ込まれ、軸方向に貫通するとともに、中心から前記釣糸導入口の釣糸案内リング側に向けて径が徐々に大きくなるように断面扇形に広がった貫通孔が形成された釣糸案内部材とを有する。
【０００７】
この中通し竿は、収納時には第２竿体を第１竿体内に収納してコンパクトな状態になり、使用時には第２竿体を第１竿体の穂先側に引き延ばして１本の竿体として用いられる。また、釣糸挿通操作時においては、さらに穂先側に連結される竿体がある場合にはその竿体を第２竿体内に収納し、かつ第２竿体を第１竿体の穂先側に引き延ばして用いられる。具体的には、第２竿体をその竿元側端面が第１竿体の釣糸導入口の穂先側に位置するように連結し、尻栓の釣糸案内部材の貫通孔が釣糸導入口に向かって広がるように、第２竿体の周方向を調整する。そして、糸通し具を釣糸導入口から第２竿体の竿元側端部に配置された尻栓の本体部内の釣糸案内部材に向けて挿入する。この穂先側に向けて挿通された糸通し具は、穂先側に連結される竿体内へ挿入されることになる。ここで、釣糸案内部材は周方向中心から釣糸導入口に向けて大きく開いた貫通孔を有しており、糸通し具を挿入しやすい。
【０００８】
発明２にかかる中通し竿は、発明１の中通し竿であって、
尻栓は、本体部の竿元側に連結され貫通孔に連通するように軸方向に形成された連通路と、釣糸導入口を向く側の側面に、釣糸導入口から連通路に釣糸を挿通可能に形成された開口とを有する筒状部をさらに有している。この場合には、釣糸挿通操作時においては、穂先側にさらに連結される他の竿体を第２竿体内に収納し第２竿体を第１竿体の穂先側に引き延ばして用いられる。具体的には、第２竿体はその竿元側端面が第１竿体の釣糸導入口の穂先側に位置するように連結し、尻栓の釣糸案内部材の貫通孔が釣糸導入口に向かって広がり、かつ筒状部の開口が釣糸導入口に向かうように第２竿体の周方向を調整する。そして、糸通し具を釣糸導入口から第２竿体の竿元側端部に配置された尻栓の筒状部の開口から連通路に挿入する。ここで、糸通し具先端は連通路により穂先側に向けて挿通され、釣糸案内部材を挿通して穂先側に連結される竿体内へ挿入される。ここで、釣糸案内部材は周方向中心から釣糸導入口に向けて大きく開いた貫通孔を有しており、糸通し具を挿入しやすい。
【０００９】
また、釣糸挿通後において、釣糸を竿体内に挿通させたままで第２竿体を第１竿体内に収納した場合には、釣糸は釣糸導入口の竿元側端部から竿元側に折り返され、開口より再び穂先側へむかうことになる。この結果、第２竿体の竿元側端部と第１竿体の竿元側端部とで釣糸を踏み込んでしまうこと（いわゆる糸踏み現象）を防止できる。
【００１０】
発明３にかかる中通し竿は、発明２の中通し竿であって、釣糸通路に釣糸を挿通させる釣糸挿通操作時において、第２竿体は開口が第１竿体の釣糸導入口付近に位置するように第１竿体の穂先側に連結される。
この場合には、開口が釣糸導入口付近に位置するので、釣糸挿通操作がさらに容易になる。
【００１１】
発明４にかかる中通し竿は、発明１〜３のいずれかの中通し竿であって、第２竿体の穂先側に振出形式で連結される少なくとも１以上の竿体からなる竿体ユニットをさらに備え、尻栓は竿体ユニットの最も穂先側に連結される竿体を収納可能な収納部をさらに有している。
この場合には、収納部に竿体ユニットの最も穂先側に連結される竿体を収納して釣糸挿通操作を行う。収納部に最も穂先側に連結される竿体を収納するので、釣糸をより容易に該竿体内に挿入できる。
【００１２】
【発明の実施の形態】
以下、本発明の一実施形態について図面を参照しつつ説明する。
本発明の一実施形態を採用した中通し竿は、図１に示すように、元竿１と、元竿１の穂先側に連結された元上竿２と元上竿２の穂先側に連結された第１中竿３及び第２中竿４と、第２中竿４の穂先側に連結された穂先竿５とを有している。これら元竿１〜穂先竿５は炭素繊維またはガラス繊維等に合成樹脂を含浸させたプリプレグから形成される先細り筒状部材であって、内部に釣糸通路１００を有する（図２等参照）。そして、元上竿２〜穂先竿５は穂先側から順次竿元側の竿体の内部に挿入され出し入れ自在になっており、いわゆる振出形式で連結されている。
【００１３】
元竿１は外周面に形成されリール７を脱着自在に装着可能なリールシート８を有し、竿元側端部には元竿尻栓１０が脱着自在に装着されている。また、元上竿２の穂先側外周面にはリール７からの釣糸Ｌを竿体内部に導入する釣糸導入口９が形成されており、さらに、釣糸導入口９を覆うように配置された釣糸導入ガイドＧが固定されている。また、釣糸導入口９の竿元側周縁部にはセラミック製のガイド１１（図２参照）がはめ込まれている。この元上竿２の釣糸通路１００は釣糸導入口９の穂先側において段が形成され、穂先側に比べて竿元側が大径に形成されている。一方、穂先竿５の穂先側端部にはトップガイド６が取り付けられており、リール７からの釣糸Ｌは釣糸ガイドＧ及び釣糸導入口９を通り釣糸通路１００に導かれて、穂先側のトップガイド６より外部へ導かれる。
【００１４】
図２に示すように、釣糸導入ガイドＧは、釣糸導入口９の穂先側において元上竿２に固定される前固定部１２と、釣糸導入口９の竿元側において元上竿２に固定される後固定部１３と、釣糸導入口９を跨ぎながら前固定部１２と後固定部１３とを連結しかつ釣糸導入口９上空において孔部１４ａが形成された連結部１４と、連結部１４の竿元側に設けられた釣糸案内リング１５とを有している。
【００１５】
前固定部１２，後固定部１３，連結部１４は、チタン，アルミニウム，スチール等の金属から一体形成された部材であって、例えば、前固定部１２及び後固定部１３は巻糸（図示せず）等によって元上竿２の所定の位置に固定されている。連結部１４は前固定部１２からなだらかに隆起しながら釣糸導入口９を跨ぎ、傾斜しながら後固定部１３へ至っている。この連結部１４は全体としてアーチ状ブリッジ型である。この連結部１４の釣糸導入口９上には孔１４ａが形成されており、また、後固定部１３へ至る傾斜した部分には孔が設けられ、硬質セラミック製の釣糸案内リング１５がはめ込まれて固定されている。この釣糸導入ガイドＧの連結部１４の傾斜部分が後固定部１３へ折れ曲がり元上竿２へ当接する折曲部分１４ｂは、釣糸導入ガイドＧの他の部分より肉厚に形成されている。
【００１６】
図２及び図３に示すように、第１中竿３は内部に釣糸通路１００を有する筒状部材であって、元上竿２の穂先側に振出形式で連結されている。そして、第１中竿３の竿元側端部には尻栓２０がはめ込まれている。
尻栓２０は、第１中竿３の竿元側端部に形成された切欠にはめ込まれ固定された略筒状の固定部２１と、固定部２１の内側にビス等で固定され軸方向に孔が貫通した本体部２２と、本体部２２の竿元側に本体部２２と一体的に連結される筒状部２３とを有している。そして、本体部２２内にはセラミックリング（釣糸案内部材）２４がはめ込まれている。本体部２２及び筒状部２３は合成ゴム等の弾性部材からなり、その穂先側は第２中竿４及び穂先竿５の竿元側を収納可能な収納部２２ａとなっている。
【００１７】
セラミックリング２４は硬質セラミック等から形成されるリング状の部材であって、軸方向に貫通する貫通孔２４ａが形成されている。図３に詳しく示すように、貫通孔２４ａは周方向中心から一周外方向（図２において釣糸導入口９方向である）に向けて徐々にその口径が大きくなるように広がった変形リングである。さらに詳しく述べれば、軸方向からセラミックリング２４を眺めた場合に、その貫通孔２４ａは一周外方向に広がる扇形になっている。
【００１８】
また、筒状部２３は元上竿２の軸方向に長い円筒型部材であり、セラミックリング２４の貫通孔２４ａに連続して軸方向に連通部２３ａが形成されるとともに、筒状部２３の側面には外部から連通部２３へ至る開口２３ｂが形成されている。この開口２３ｂはセラミックリング２４の貫通孔２４ａが広がる一方向側の側面（図２において釣糸導入口９方向である）に形成されている。そして、連通部２３ａの開口２３ｂの反対側内周面が、セラミックリング２４の断面扇形の要部分においてほぼ同一面になるように連続している。
【００１９】
なお、この尻栓２０は第１中竿３に固定されたものである。従って、後述する釣糸挿通操作時や魚釣りを行う際の状態である第１中竿３を元上竿２の穂先側に延伸させて固定させた状態においては、図２に示すように、尻栓２０は釣糸導入口９の穂先側付近に位置し、詳しくは、開口２３ｂが釣糸導入口９付近のやや穂先側に位置する。一方、第１中竿３を元上竿２内に挿入して収納する際には、第１中竿３とともに元上竿２内部を竿元方向に移動して、尻竿２０は釣糸導入口９の竿元側へ位置することになる。
【００２０】
この中通し竿では、金属製ワイヤ等からなる糸通し具２００を用いて、以下のように釣糸挿通操作を行う。図２に示すように、まず、穂先竿５及び第２中竿４を第１中竿３内に収納し、第１中竿３を元上竿２の穂先側に延伸させる。ここで、穂先竿５及び第２中竿４は第１中竿３の尻栓２０の収納部２２ａに収納される。また、第１中竿３においては、尻栓２０のセラミックリング２４の貫通孔２４ａの広がる方向及び開口２３ｂが釣糸導入口９側に向くように、周方向の位置決めを行う。
【００２１】
続いて、糸通し具２００の一端の釣糸係止部にリール７からの釣糸Ｌを係止し、釣糸案内リング１５を挿通させて釣糸導入口９から糸通し具２００の先端を挿入する。糸通し具２００は、筒状部２３の開口２３ｂから連通部２３ａに至り、ここで元上竿２の軸方向に方向転換されてセラミックリング２４を通って収納部２２ａ内に収納された穂先竿５の釣糸通路１００へ導入される。その後、釣糸Ｌと共に糸通し具２００はトップガイド５へ至り外部に導出される。
【００２２】
なお、釣糸挿通後、穂先竿５〜第１中竿３を順次元上竿２内に収納した場合には、釣糸Ｌは釣糸導入口９の竿元側端部に配置されたガイド１１に当たって竿元側に折り返され、開口２３ｂから再び穂先側に折り返されてトップガイド６へと至る。
以上のように、本発明の一実施形態を採用した中通し竿では、糸通し具２００を釣糸導入口９からスムーズに竿体の軸方向に方向変換でき、穂先竿５内に挿入可能である。ここで、セラミックリング２４は周方向中心から釣糸導入口９に向けて大きく開いた貫通孔２４ａを有しており、糸通し具２００を挿入しやすい。
【００２３】
また、釣糸挿通操作後、釣糸Ｌを各竿体内に挿通させたまま第１中竿３を元上竿２に収納した場合にも、第１中竿３の竿元側端面と元上竿２の竿元側端面との間で糸を踏み込むこと（いわゆる「糸踏み現象」）をおこさない。なお、釣糸挿通操作時に釣糸導入ガイドＧの連結部１４の孔１４ａより釣糸導入口９内を目視可能であり、釣糸挿通操作はより容易に行うことができる。
【００２４】
［他の実施形態］
（ａ）中通し竿の竿体の数は上記実施の形態に限定されるものではなく、任意の数の竿体を用いることができる。また、元上竿２に釣糸導入口９を設けるものに限定されず、元竿１に釣糸導入口９を設けてもよい。この場合、所定の尻栓は元上竿２に填込まれる。
（ｂ）尻栓２０には特に収納部２２ａを設けなくともよい。
（ｃ）釣糸ガイドはその他の周知の釣糸ガイドを用いることもできる。
（ｄ）尻栓２０に特に筒状部２３を形成しなくてもよい。この場合にも、変形したセラミックリング２４によって、釣糸導入操作を容易に行うことが可能である。
（ｅ）図４に示すような、セラミックリング３４を用いてもよい。このセラミックリング３４では、その貫通孔３４ａを軸方向から眺めた場合、一周外方向に矩形に広がるように形成されている。また、その他、一周外方向に楕円形に広がるもの等も用いることができる。
【００２５】
【発明の効果】
本発明に係る中通し竿によれば、釣糸挿通操作を容易に行うことができる。
【図面の簡単な説明】
【図１】本発明の一実施形態を採用した中通し竿の全体図。
【図２】図１の釣糸導入口９付近の拡大断面図。
【図３】図１のセラミックリング２４を軸方向より眺めた図。
【図４】本発明の他の実施形態を採用したセラミックリング３４を軸方向より眺めた図。
【図５】従来の中通し竿の釣糸導入口９付近の拡大断面図。
【符号の説明】
１  元竿
２  元上竿
３  第１中竿
４  第２中竿
５  穂先竿
９  釣糸導入口
２０  尻栓
２１  固定部
２２  本体部
２３  筒状部
２３ｂ  開口
２４  セラミックリング
２４ａ  貫通孔
【図１】
0004392727.tif 000002
【図２】
0004392727.tif 000003
【図３】
0004392727.tif 000004
【図４】
0004392727.tif 000005
【図５】
0004392727.tif 000006